(57)【要約】【課題】ＡＴＭなどの重量物を、床面に孔を空けることなく強固に固定する。【解決手段】金属板からなる金属板層１１と、粘着性ゲル材からなる粘着シート層１２とが積層され、複数箇所に貫通する固定用貫通孔１３を有し、その固定用貫通孔１３の金属板１１部分の内周には雌ねじを設けた重量物固定用積層板１０に、金属板層１１側から挿入されて、粘着シート層１２の面よりも先端が突き出た調整ネジ１４を取り付け、調整ネジ１４の先端を床面Ｆに接して位置決めする。位置決めした後、調整ネジ１４を一旦はずして床面Ｆに接着させる。重量物固定用積層板１０の上に、複数の固定用貫通孔１３と対応する位置に貫通孔１７を設けた底板１６を有する重量物１５を乗せ、底板の上から調整ネジ１４を締めて固定する。【選択図】図６
2019168087.tif 000002
【特許請求の範囲】
【請求項１】
金属板である金属板層と、粘着性ゲル材である粘着シート層とが積層された積層板であり、
複数箇所に、貫通する固定用貫通孔を有し、
前記固定用貫通孔の金属板部分の内周には雌ねじを設けた
重量物固定用積層板。
【請求項２】
複数の前記固定用貫通孔に、金属板層側から挿入されて、先端が前記粘着シート層の面よりも突き出た調整ネジを取り付けた
請求項１に記載の重量物固定用積層板。
【請求項３】
請求項２に記載の重量物固定用積層板を、前記粘着シート層側を下にして、前記調整ネジの先端が床面に接する状態で、重量物を設置するべき場所に移送させて位置決めするステップ、
前記調整ネジを外し、前記粘着シート層を前記床面に接着させるステップ、
前記重量物固定用積層板の上に、複数の前記固定用貫通孔と対応する位置に貫通孔を設けた底板を有する前記重量物を乗せるステップ、
前記底板の上から前記調整ネジを締めて、前記底板と前記金属板層とを固定するステップ、
を実行する、重量物の床面への固定方法。
【請求項４】
請求項３に記載の固定方法において、上記重量物がＡＴＭである、ＡＴＭの床面への固定方法。
【発明の詳細な説明】
【技術分野】
【０００１】
この発明は、店舗等商業施設に設置する重量物に関する。
【背景技術】
【０００２】
コンビニエンスストアや大規模商業施設にはＡＴＭ（現金自動預け払い機）が設置され、利用者が銀行口座に対して振込や引出を行うことができるようにして、当該店舗や商業施設における消費に寄与するとともに、利用者の利便性向上に繋がっている。ただし、ＡＴＭは現金を格納しているため、その取り扱いには注意が必要である。十分に固定していなければ、ＡＴＭごと現金を奪われてしまうおそれがある。このため、ＡＴＭの固定は厳重に行われることが多い。具体的には、ＡＴＭの底板の上からコンクリート製の床へ深くアンカーを打ち込んで固定するといった手法が用いられている（例えば特許文献１）。
【先行技術文献】
【特許文献】
【０００３】
【特許文献１】特開2012-144929号公報
【発明の概要】
【発明が解決しようとする課題】
【０００４】
しかしながら、コンビニエンスストアに設置されるＡＴＭはコンビニエンスストアチェーンごとに異なる。コンビニエンスストアが廃業後に居抜きされて別のチェーンになる場合には、一旦アンカーまで打たれたＡＴＭを取り外して孔を埋め、また別の箇所に孔を穿つ必要がある。この作業には膨大な手間がかかるだけでなく、孔を空けるために廃棄物も発生してしまい、店舗設置作業における重大な問題となっていた。
【０００５】
これに対して、ＡＴＭの底面に接着剤、又は接着性のゲルを塗布又は貼り付けて、その接着力で固定することが考えられる。接着剤による接着性がＡＴＭの重みで補強され、一旦固定できてしまえばコンクリートなどの床面に孔を空けることなく十分な強度で固定することができる。
【０００６】
ところが、ＡＴＭのような重量物の底面に接着剤や接着性のゲルを露出させた状態で設置しようとすると、位置決めの際に作業員にかかる負荷が増大する。重量があるために目標とする設置位置や向きからずれやすいのに対して、僅かでも床に底面が接すると、その重みで床面に対して強固に接着してしまい、剥がすことも容易にできなくなってしまう。
【０００７】
そこでこの発明は、ＡＴＭの様な重量のある設置物を容易に位置決めして、床面に孔を空けることなく固定し、また、必要な際には取り外しできるようにすることを目的とする。
【課題を解決するための手段】
【０００８】
この発明は、
金属板からなる金属板層と、粘着性ゲル材からなる粘着シート層とが積層された積層板であり、
複数箇所に、貫通する固定用貫通孔を有し、
前記固定用貫通孔の金属板部分の内周が雌ねじを設けた
重量物固定用積層板により、上記の課題を解決したのである。
【０００９】
この重量物固定用積層板を使用する際には、複数の前記固定用貫通孔に、金属板層側から挿入されて先端が前記粘着シート層の面よりも突き出た調整ネジを取り付ける。
【００１０】
その上で、前記粘着シート層側を下側にして、前記調整ネジの先端が床面に接する状態で、重量物を設置するべき場所に移送させて位置決めする。この段階では調整ネジの先端が粘着シートの層よりも突き出ているため、床面に粘着シートが張り付くことなく、小刻みな位置調整ができる。この段階では積層板の上にＡＴＭなどの重量物本体が乗っているわけではないため、位置調整にかかる力もわずかで済む。
【００１１】
適切な位置及び向きに重量物固定用積層板を配置することができたら、前記調整ネジを外し、前記粘着シート層を前記床面に接着させる。それまで突き出ていた調整ネジが外れることで、重量物固定用積層板は、水平位置はそのままにわずかに垂直位置が下がり、粘着シート層が床面に接して固定される。その粘着シート層と一体の積層体を構成する金属板層も床面に対して強固に固定されることになる。
【００１２】
そうして床面に対して固定された前記重量物固定用積層板の上に、複数の前記固定用貫通孔と対応する位置に貫通孔を設けた底板を有する前記重量物を乗せる。この重量物自体には底面に接着剤などを取り付ける必要はない。ただし、底板に対して重量物の内部からネジ留めできる空間を確保しておく必要がある。前記底板の上から前記調整ネジを締めて、前記底板と前記金属板層とを固定する。このとき、底板の厚さの分だけ前記調整ネジの垂直位置が上がるため、ネジを締めてもネジの先端が床面を押し込まないように厚さを調整しておく。
【００１３】
一方、撤去する際には前記調整ネジを一旦取り外して、前記底板ごと前記重量物を移動させる。その後、前記固定用貫通孔に前記底板を介することなく前記調整ネジを締めることで、前記固定用貫通孔の周囲から徐々に前記粘着シートが床面から剥がれていく。時間はかかるものの、重機などにより強い力を掛けずに済む。一方で、速やかな撤去ができないため、窃盗に対する防犯性は十分に確保できる。
【発明の効果】
【００１４】
この発明により、ＡＴＭなどの重量のある設置物を最適な位置に容易に取り付けることができ、取り外す際にコンクリートを傷めるような作業をする必要がなく、導入と撤去が容易になる。
【図面の簡単な説明】
【００１５】
【図１】この発明にかかる重量物固定用積層板の断面図
【図２】調整ネジを取り付けた重量物固定用積層板の断面図
【図３】重量物固定用積層板を位置決めする際の平面図
【図４】位置決め後に調整ネジを取り外して床面に固定した状態の断面図
【図５】重量物を上に乗せた状態の断面図
【図６】調整ネジを再び取り付けて固定した状態の断面図
【図７】固定した状態での固定用貫通孔付近の拡大断面図
【発明を実施するための形態】
【００１６】
以下、この発明について実施形態を挙げて詳細に説明する。
この発明にかかる重量物固定用積層板１０は、金属板層１１と粘着シート層１２とが積層された積層板である。その断面図を図１に示す。
【００１７】
金属板層１１はその上に重量物を固定するための金属板であり、鉄板やステンレス板などの強度と耐久性があるものが望ましい。薄すぎると後述する調整ネジ１４による固定ができなくなる他、取付の耐久性も不足してしまうため、厚さは４ｍｍ以上が好ましく、５ｍｍ以上がより好ましい。一方、厚すぎる分には耐久性の点から問題はないが、分厚すぎると上に重量物が乗っていなくても作業がしにくくなるため、２０ｍｍ以下が好ましく、１５ｍｍ以下がより好ましい。
【００１８】
粘着シート層１２は、粘着性ゲル材からなるシートである。特に種類は限定されないが、基本的には粘着性が高い方が固定する性能が高いため望ましい。素材としては例えばポリウレタン製の軟質エラストマーなどを用いることができる。接着性能を確保するため、厚さは１ｍｍ以上であると好ましく、２ｍｍ以上であるとより好ましい。また、後述する底板１６の厚さとの兼ね合い上、薄すぎると底板１６の扱いが難しくなってしまう。一方、厚すぎても粘着性能は向上しなくなるだけでなく、底板１６の設計厚みが上がりすぎてしまうため、１０ｍｍ以下が好ましく、７ｍｍ以下がより好ましい。
【００１９】
なお、副次的な効果であるが、粘着シート層１２を挟むことで、上に取り付ける重量物に対して防振効果も発揮できる。
【００２０】
重量物固定用積層板１０は、この金属板層１１と粘着シート層１２以外の層を有していてもよい。金属板層１１と粘着シート層１２との間に粘着性を向上させる素材など、固定性能を阻害しない層を挟んでいてもよい。ただし、直接接触する方が基本的には固定性能が高いことが多い。
【００２１】
また、粘着シート層１２はそのままだと輸送や保管の際に他の物品に接着してしまうおそれがあるため、表面に剥離紙を貼り付けておき、取付作業の開始までは剥離紙で保護しておくことが望ましい。さらに、金属板層１１の表面が輸送や保管の際に傷まないように保護シートが掛けられていてもよい。
【００２２】
重量物固定用積層板１０を構成する金属板層１１の形状は特に限定されない。固定しようとする重量物１５の底板１６に対応する形状であると扱いやすく、固定させやすい。設計上は円形又は矩形であると扱いやすいが、円形や矩形から変形させた形状でも本発明の位置決めの際には特段の問題はない。また、位置決めをしやすくするため、位置を計るための切り欠けや突部を設けてあってもよい。図では矩形を想定している。
【００２３】
また、粘着シート層１２は金属板層１１からはみ出さない範囲で特に形状は限定されない。ただし、金属板層１１をカバーする面積が小さすぎると十分な接着性能が得られないため少なくとも金属板層１１の面積の３０％以上をカバーする面積であることが好ましく、５０％以上をカバーするとより好ましい。もちろん、金属板層１１の全面すなわち１００％をカバーしていると強固に接着でき好ましい。図では１００％をカバーしている形態を示す。
【００２４】
重量物固定用積層板１０には、複数の箇所に貫通する固定用貫通孔１３を設けてある。この固定用貫通孔１３の金属板部分の内周は雌ねじとなっており、後述する調整ネジ１４を嵌めて板全体を支えることができる。
【００２５】
調整ネジ１４を固定用貫通孔１３に取り付けた状態での断面図を図２に示す。調整ネジ１４の雄ねじ部分の長さは、重量物固定用積層板１０本体の厚さ（図の実施形態では金属板層１１と粘着シート層１２との合計厚さ）よりもわずかに長いことが必要である。図２に示すように、調整ネジ１４の先端が粘着シート層１２よりも突き出ていることで、床面Ｆ上に置いても、粘着シート層１２が床面Ｆに接することなく、調整ネジ１４によって支えられることになる。
【００２６】
この状態で重量物固定用積層板１０を引き摺って位置調整できるように、固定用貫通孔１３は少なくとも３箇所以上に設けてあると好ましい。また、固定用貫通孔１３のうち重心が重量物固定用積層板１０の重心Ｇに近いか一致するように設けてあるとより好ましい。さらに、固定用貫通孔１３は、少なくとも重量物固定用積層板１０の重心Ｇから１０ｃｍ以上離れた箇所に設置されたものがあるとバランス上好ましい。その例をとなる平面図を図３に示す。四箇所に固定用貫通孔１３が設けられ、それぞれに調整ネジ１４が嵌められており、重量物固定用積層板１０本体を四点で支える。この状態で床面を滑らせて目標とする設置位置へ動かしていく。このため、調整ネジ１４の先端は丸めてあり、摩擦を低減させておくと好ましい。
【００２７】
なお、固定用貫通孔１３を４つ以上有する場合、その全てに調整ネジ１４を嵌めておく必要はなく、３つ以上の孔に調整ネジ１４が嵌めてあれば利用可能である。これは、一つの重量物固定用積層板１０で、４つ以上の固定用貫通孔１３を設けておくと、そのうちの一部を使用して様々なサイズの重量物１５の固定に利用できるためである。図３では８箇所に設けてあるが、このうちの矩形位置となる四箇所を、乗せる重量物１５の規格に合わせて選択して用いるとよい。
【００２８】
調整ネジ１４で支えられた重量物固定用積層板１０を、重量物１５を設置するべき場所に移送して位置決めしたら、調整ネジ１４を外していく。調整ネジ１４を緩めていくにしたがって、調整ネジ１４の周囲はゆっくりと床面Ｆに近づいていき、調整ネジ１４の先端が粘着シート層１２の表面よりも高くなったら粘着シート層１２と床面Ｆとが接して接着される。全ての調整ネジ１４の先端が粘着シート層１２より上に位置するまで緩めたら、粘着シート層１２の全面が床面Ｆに接して固定が完了する。この状態の断面図を図４に示す。このとき、既に水平方向の位置決めは完了しているため、接着される位置も狙い通りの位置とすることができる。
【００２９】
所定の位置に接着させた重量物固定用積層板１０の上に、固定すべき重量物１５を乗せる。この重量物１５は、先に接着させた重量物固定用積層板１０に設けられた複数の前記固定用貫通孔と対応する位置に貫通孔１７を設けた底板１６を有する。なお、重量物固定用積層板１０に３つ以上の固定用貫通孔１３が空けられている場合、重量物１５の底板１６はその全てに対応する貫通孔１７を有する必要はなく、そのうちの一部に対応する貫通孔１７を複数有するとよい。図３に示すように８つの固定用貫通孔１３を有する場合、そのうちの４つ又は６つに対応する貫通孔１７が重量物１５の底板１６に設けてあり、その対応する固定用貫通孔１３を用いて重量物１５を固定するとよい。
【００３０】
この貫通孔１７の径は、少なくとも調整ネジ１４のネジ部分が通過でき、かつ、調整ネジ１４の頭部分が通過しないように調整する。具体的には、乗せる位置の数ミリの誤差を許容できるように、調整ネジ１４のネジ部分の径よりも１ｍｍ以上大きいと望ましい。一方で、大きすぎても固定できなくなるため、調整ネジ１４のネジ部分の径に比べて１０ｍｍを超えないことが望ましい。
【００３１】
重量物１５の位置を調整して、図５に示すように複数の固定用貫通孔１３と貫通孔１７との位置を合わせたら、底板１６の上から調整ネジ１４を締めて固定用貫通孔１３の雌ねじに固定する。この固定し終えた状態の断面図を図６に、固定用貫通孔１３付近の拡大図を図７に示す。底板１６を介さないときには粘着シート層１２の表面より調整ネジ１４の先端が突き出していたが、調整ネジ１４の位置が底板１６の分だけ上がっているため、調整ネジ１４を十分に締めても、調整ネジ１４によって床面Ｆを押し込むことがなく、接着性を悪化させない。このようにするには、底板１６の厚さを、調整ネジ１４の先端が粘着シート層１２より飛び出た長さより長くすることで実現できる。
【００３２】
以上の手順により、底板１６と重量物固定用積層板１０とを強固に固定でき、床面Ｆと強固に接着した重量物固定用積層板１０に対して固定されるため、底板１６を有する重量物１５を床面Ｆに対して強固に固定できる。
【００３３】
なお、底板１６の上側面に接触できると調整ネジ１４を外すことができるため、固定し終えた後は底板１６の上面に容易に接触できないように、重量物１５の構造を規定するか、その空間に鍵を掛けるなどしておくことが望ましい。
【００３４】
また、重量物固定用積層板１０が、交換する可能性のある全ての重量物１５に対応した位置に固定用貫通孔１３を空けてあると、さらに重量物１５の交換がしやすくなる。重量物１５の交換時には固定用貫通孔１３から調整ネジ１４を外して古い重量物１５を取り外した後、新しい重量物１５を乗せて、別の固定用貫通孔１３に調整ネジを嵌めるだけで固定が完了する。
【００３５】
次に、重量物固定用積層板１０により固定した重量物１５を撤去する際の手順について説明する。図６に示すように重量物１５を底板１６の上から固定していた調整ネジ１４を取り外し、図５の状態に戻す。この状態では重量物１５が固定されなくなり、重量物１５をそのまま取り外すことができる。重量物１５を外し、重量物固定用積層板１０のみが床面Ｆに接着した状態になったら、底板１６を介することなく調整ネジ１４を固定用貫通孔１３に再び取り付ける。底板１６が無い状態で調整ネジ１４を締めると、上記の通り、調整ネジ１４の先端が粘着シート層１２の表面よりも突き出る。これにより、固定用貫通孔１３の周囲が調整ネジ１４の締める力によって床面Ｆから徐々に剥がされていく。そのままの状態で放置していくと、徐々に粘着シート層１２の全体に剥がす力が及んでいき、粘着シート層１２が床面Ｆから離れる。粘着シート層１２が完全に床面Ｆから離れて図２の状態にまで戻ったら、そのまま重量物固定用積層板１０を移動させることが可能となる。重機などで大きな力を掛けることなく、以上の手順のみで、重量物固定用積層板１０を容易に取り外すことができる。取り外した後の床面Ｆには固定用の穴などは空いていないため、穴埋めのためにコンクリートなどの補修材料を詰める必要がなく撤去作業を終わらせることができる。また、粘着シート層１２として適切な粘着性のものを用いれば、糊残りなく剥がすことができる。
【実施例】
【００３６】
この発明にかかる重量物固定用積層板１０を用いて実際に重量物を固定した例を示す。重量物固定用積層板１０は厚さ９ｍｍの鉄板による金属板層と、厚さ３ｍｍのポリウレタン製の粘着シート層（（株）枚方技研製：タックゲル）とを積層した５８５ｍｍ×４６４ｍｍの矩形状の板とした。調整ネジとしてネジ部の先端までの長さが１３．５ｍｍであるものを八箇所の固定用貫通孔に取り付けた。８つの固定用貫通孔の位置は、大小二つの矩形の頂点となる位置に設けられ、内側の矩形が３３３．６ｍｍ×２３９．６ｍｍ、外側の矩形が３９３．６ｍｍ×３９７．６ｍｍとなるように配置した。
【００３７】
新装開店予定であるコンビニエンスストアの床面に重量物固定用積層板を置き、接着することなく位置調整を行うことができた。位置決めをした後、調整ネジを緩めて粘着シート層を床面に接着させ、重量物固定用積層板を床面に固定した。
【００３８】
重量物としてはＡＴＭ（富士通（株）製：重量約３５０ｋｇ）を用い、底板１６には重量物固定用積層板の８箇所のうち、４箇所に対応する位置となる貫通孔１７を設けた。調整ネジで四箇所を締めることで、ＡＴＭが浮き上がることなく強固に床面に設置することができた。
【符号の説明】
【００３９】
１０  重量物固定用積層板
１１  金属板層
１２  粘着シート層
１３  固定用貫通孔
１４  調整ネジ
１５  重量物
１６  底板
１７  貫通孔
Ｆ  床面
【図１】
2019168087.tif 000003
【図２】
2019168087.tif 000004
【図３】
2019168087.tif 000005
【図４】
2019168087.tif 000006
【図５】
2019168087.tif 000007
【図６】
2019168087.tif 000008
【図７】
2019168087.tif 000009